(57)【要約】  【課題】第１のシャフト25および第２のシャフト26に対する基板29の誤取付けを防止できる商品排出装置17を提供する。  【解決手段】上下の第１のシャフト25および第２のシャフト26に、基板29の上下の第１の取付部41および第２の取付部42を取り付ける。第１の取付部41には、第１のシャフト25の一側に係合する両端の端部一側係合部44および両端の端部一側係合部44の間の中間一側係合部45を設け、第１のシャフト25の他側に係合する他側係合部46を設ける。基板29が第１のシャフト25に対して斜め状態で第１の取付部41が第１のシャフト25に嵌まり込むことを、中間一側係合部45で規制する。第１のシャフト25および第２のシャフト26に対する基板29の誤取付けを防止する。  【選択図】図１
2005173832.tif 000002
【特許請求の範囲】
【請求項１】
商品通路の側部に沿って設置される第１のシャフトと第２のシャフトとの間に取り付けられ、商品通路を通じて商品を排出させる商品排出機構が設けられた基板と、
この基板の前記第１のシャフトに取り付けられる一辺に設けられ、基板の両端近傍で第１のシャフトの一側に係合する端部一側係合部、これら両端の端部一側係合部の間で第１のシャフトの一側に係合する中間一側係合部、および両端の端部一側係合部の間で第１のシャフトの他側に係合する他側係合部を有する第１の取付部と、
前記基板の前記第２のシャフトに取り付けられる他の一辺に設けられ、前記第１の取付部が第１のシャフトに係合した状態で第２のシャフトに係合される第２の取付部と
を具備していることを特徴とする商品排出装置。
【請求項２】
第１のシャフトと第２のシャフトとの間に１組の基板がそれぞれ背面側を対向させて取付可能とし、
これら各基板の第１の取付部の端部一側係合部が基板の一端寄りの偏心位置に設けられているとともに中間一側係合部も基板の一端寄りの偏心位置に設けられている
ことを特徴とする請求項１記載の商品排出装置。
【発明の詳細な説明】
【技術分野】
【０００１】
本発明は、商品を排出する商品排出装置に関する。
【背景技術】
【０００２】
従来、例えば缶入り飲料やペットボトルなどの商品を販売する自動販売機では、サーペンタイン形のコラムの商品通路内に商品を上下方向に積み重ねて収納し、商品販売時にコラムの下部に設置されている商品排出装置によって最下位の商品から１本ずつ排出している（例えば、特許文献１参照。）。
【０００３】
図７に示すように、商品通路１の側部に沿って上下に第１のシャフト２および第２のシャフト３が配設され、これら第１のシャフト２と第２のシャフト３との間に商品排出装置の商品排出機構が設けられる基板４が取り付けられる。
【０００４】
基板４の上部には、基板４の両端近傍に第１のシャフト２の一側に係合する両端の一側係合部５が設けられ、これら両端の一側係合部５の間で第１のシャフト２の他側に係合する他側係合部６が設けられている。
【０００５】
基板４の下部には、基板４の両端近傍に第２のシャフト３の上側および一側に係合する支持部７が設けられ、これら支持部７の間で第２のシャフト３の下側および一側に係合する係止部材８が取り付けられている。
【０００６】
そして、基板４を取り付けるときには、第１のシャフト２の両側に対して基板４の上部両端の一側係合部５と他側係合部６とを嵌め込み、基板４を押し上げた状態で、第２のシャフト３の側方からこの第２のシャフト３の上下に基板４の下部両端の支持部７と係止部材８とを嵌め込み、基板４の下部両端の支持部７を第２のシャフト３の上側に係合させる。
【特許文献１】特開平９−１２８６３６号公報（第２頁、図３）
【発明の開示】
【発明が解決しようとする課題】
【０００７】
しかしながら、図７に示すように、基板４が第１のシャフト２に対して斜めとなり、一方の一側係合部５が第１のシャフト２の一側に係合するが、他方の一側係合部５が第１のシャフト２の他側にあるような状態でも、第１のシャフト２の両側に対して一方の一側係合部５と他側係合部６とを嵌め込むことが可能で、このとき、両端の一側係合部５の間隔が広いために基板４の第１のシャフト２に対する傾斜角度が小さいため、基板４が多少たわむことで、基板４の下部の支持部７および係止部材８によって第２のシャフト３に取り付けられてしまう場合がある。
【０００８】
このように、基板４が斜めに取り付けられた場合には、商品通路１の通路幅が狭まるため、商品の排出不良が発生しやすくなる問題がある。
【０００９】
本発明は、このような点に鑑みなされたもので、第１のシャフトおよび第２のシャフトに対する基板の誤取付けを確実に防止できる商品排出装置を提供することを目的とする。
【課題を解決するための手段】
【００１０】
請求項１記載の商品排出装置は、商品通路の側部に沿って設置される第１のシャフトと第２のシャフトとの間に取り付けられ、商品通路を通じて商品を排出させる商品排出機構が設けられた基板と、この基板の前記第１のシャフトに取り付けられる一辺に設けられ、基板の両端近傍で第１のシャフトの一側に係合する端部一側係合部、これら両端の端部一側係合部の間で第１のシャフトの一側に係合する中間一側係合部、および両端の端部一側係合部の間で第１のシャフトの他側に係合する他側係合部を有する第１の取付部と、前記基板の前記第２のシャフトに取り付けられる他の一辺に設けられ、前記第１の取付部が第１のシャフトに係合した状態で第２のシャフトに係合される第２の取付部とを具備しているものである。
【００１１】
そして、この構成では、基板が第１のシャフトに対して斜めとなり、一方の端部一側係合部が第１のシャフトの一側に係合するが、他方の端部一側係合部が第１のシャフトの他側にあるような状態では、両端の端部一側係合部間に設けられた中間一側係合部により、第１のシャフトの両側に対して一方の端部一側係合部と他側係合部とが嵌まり込むのを規制したり、第２の取付部を第２のシャフトに取り付けることができないくらいに基板が傾斜するように規制するため、第１のシャフトおよび第２のシャフトに対する基板の誤取付けが確実に防止される。
【００１２】
請求項２記載の商品排出装置は、請求項１記載の商品排出装置において、第１のシャフトと第２のシャフトとの間に１組の基板がそれぞれ背面側を対向させて取付可能とし、これら各基板の第１の取付部の端部一側係合部が基板の一端寄りの偏心位置に設けられているとともに中間一側係合部も基板の一端寄りの偏心位置に設けられているものである。
【００１３】
そして、この構成では、第１のシャフトと第２のシャフトとの間に１組の基板がそれぞれ背面側を対向させて取付可能とするために、これら各基板の第１の取付部の端部一側係合部を基板の一端寄りの偏心位置に設けた場合でも、中間一側係合部についても基板の一端寄りの偏心位置に設けることにより、基板の誤取付けが確実に防止される。
【発明の効果】
【００１４】
請求項１記載の商品排出装置によれば、基板が第１のシャフトに対して斜めとなり、一方の端部一側係合部が第１のシャフトの一側に係合するが、他方の端部一側係合部が第１のシャフトの他側にあるような状態では、両端の端部一側係合部間に設けられた中間一側係合部により、第１のシャフトの両側に対して一方の端部一側係合部と他側係合部とが嵌まり込むのを規制したり、第２の取付部を第２のシャフトに取り付けることができないくらいに基板が傾斜するように規制するため、第１のシャフトおよび第２のシャフトに対する基板の誤取付けを確実に防止できる。
【００１５】
請求項２記載の商品排出装置によれば、請求項１記載の商品排出装置の効果に加えて、第１のシャフトと第２のシャフトとの間に１組の基板がそれぞれ背面側を対向させて取付可能とするために、これら各基板の第１の取付部の端部一側係合部を基板の一端寄りの偏心位置に設けた場合でも、中間一側係合部についても基板の一端寄りの偏心位置に設けることにより、基板の誤取付けを確実に防止できる。
【発明を実施するための最良の形態】
【００１６】
以下、本発明の一実施の形態を図１ないし図６を参照して説明する。
【００１７】
図５に示すように、例えば缶入り飲料やペットボトルなどの商品を販売する自動販売機11は、機体12として販売機本体13およびこの販売機本体13の前面に開閉可能に設けられる扉体14を有している。
【００１８】
扉体14の上部側には商品見本展示部や操作部などが配設され、扉体14の下部側には販売時に排出された商品を取り出す取出口15が配設されている。
【００１９】
販売機本体13には、商品を種類別に収納するサーペンタイン形の複数のコラム16が前後方向および左右方向に複数列ずつ並んで設けられ、各コラム16の下部に各コラム16内の最下位の商品を１つずつ排出する商品排出装置17が配設され、さらに、商品排出装置17の下方には排出された商品を取出口15へ案内するシュート18が配設されている。
【００２０】
図６に示すように、各商品排出装置17は、商品が通過する商品通路21を有し、この商品通路21の両側に商品排出装置本体22とガイド板23とが対向配置されているとともに両端に端板24が対向配置されている。両端の端板24には２列の商品通路21の間に第１のシャフト25および第２のシャフト26が上下に離間して水平に架設され、これら第１のシャフト25および第２のシャフト26に１組の商品排出装置本体22が背面側を対向させた状態で取り付けられている。
【００２１】
商品排出装置本体22は、基板29を有し、この基板29には、最下位の商品を係止する下側ラッチ30、および最下位の商品の排出時に最下位から２番目の商品を係止する上側ラッチ31、これら下側ラッチ30および上側ラッチ31を駆動するソレノイドなどを含む商品排出機構32が取り付けられている。
【００２２】
図１および図２に、基板29を示し、この基板29は、略四角形の金属板製で、上側の辺には第１のシャフト25に取り付けられる第１の取付部41が設けられ、下側の辺には第１の取付部41が第１のシャフト25に係合した状態で第２のシャフト26に取り付けられる第２の取付部42が設けられている。
【００２３】
第１の取付部41は、基板29の上側の辺から商品通路21に臨む表面に対し反対の裏面側に折曲されて第１のシャフト25の下側に係合可能とする縁部43を有し、この縁部43には、その両端近傍に第１のシャフト25の一側に係合する端部一側係合部44が突設され、これら両端の端部一側係合部44の間に第１のシャフト25の一側に係合する中間一側係合部45が突設され、さらに、両端の端部一側係合部44の間で第１のシャフト25の他側に係合する複数の他側係合部46が突設され、これら端部一側係合部44および中間一側係合部45と複数の他側係合部46との間に第１のシャフト25に係合する第１の係合溝47が形成されている。そして、第１の取付部41の端部一側係合部44および中間一側係合部45は基板29の一端寄りの偏心位置に設けられ、他側係合部46には第１のシャフト25および第２のシャフト26との間に背面側を対向させて取り付けられる他方の基板29の中間一側係合部45との干渉を防ぐ切欠部46aが設けられている。
【００２４】
第２の取付部42は、基板29の内側に形成された開口部48の両端縁部から基板29の裏面側に切り起こし形成された支持片49を有し、これら両端の支持片49の下部に第２のシャフト26の上側に係合して支持される支持部50が設けられ、これら支持部50の先端に第２のシャフト26の一側に係合する支持爪部51が設けられている。これら両端の支持部50の間で基板29には、支持部50との間に第２のシャフト26を係合可能とするとともに係合した第２のシャフト26を支持部50との間に係止する係止部材52が取り付けられ、これら両端の支持部50と係止部材52との間に第２のシャフト26が係合する第２の係合溝53が形成されている。この係止部材52は、例えば弾性を有する樹脂製で、第２のシャフト26の一側を係止する係止爪部54が設けられている。
【００２５】
次に、本実施の形態の作用を説明する。
【００２６】
基板29を第１のシャフト25および第２のシャフト26に取り付ける場合には、まず、図２(a)に示すように、基板29の上部の端部一側係合部44および中間一側係合部45と他側係合部46との間の第１の係合溝47を第１のシャフト25に係合し、基板29を押し上げる。続いて、図２(b)に示すように、第１のシャフト25との係合部分を中心として基板29の下部側を第２のシャフト26に向けて回動させ、第２のシャフト26との接触で係止部材52を下方へ弾性変形させながら、支持部50と係止部材52との間の第２の係合溝53を第２のシャフト26に係合する。基板29の押上げを解除すれば、支持部50が第２のシャフト26に載り、この第２のシャフト26に対して係合状態を保つように係止部材52で係止する。
【００２７】
また、基板29の上部を第１のシャフト25に係合する際、図３(a)または図３(b)に示すように、基板29が第１のシャフト25に対してやや斜めになり、第１のシャフト25の一側に一方の端部一側係合部44が位置し、第１のシャフト25の他側に他方の端部一側係合部44および他側係合部46が位置する状態で係合しようとした場合、中間一側係合部45が第１のシャフト25の下面に当接し、第１のシャフト25に対して係合するのが規制される。そのため、基板29を上方へ移動させることができないため、基板29の下部の支持部50と係止部材52との間の第２の係合溝53の高さ位置が第２のシャフト26より低い位置に位置して係合できないため、基板29の誤取付けを防止できる。
【００２８】
また、図４(a)または図４(b)に示すように、第１のシャフト25の一側に一方の端部一側係合部44が位置し、第１のシャフト25の他側に中間一側係合部45が位置する状態で係合しようとした場合、その状態で第１のシャフト25に係合できるが、中間一側係合部45が第１のシャフト25の他側に係合するので、基板29が第１のシャフト25に対して大きく斜めになる。そのため、基板29の下部の支持部50と係止部材52との間の第２の係合溝53を第２のシャフト26に係合することが困難となり、基板29の誤取付けを防止できる。
【００２９】
このように、基板29が第１のシャフト25に対して斜めとなり、一方の端部一側係合部44が第１のシャフト25の一側に係合するが、他方の端部一側係合部44が第１のシャフト25の他側にあるような状態では、両端の端部一側係合部44間に設けられた中間一側係合部45により、第１のシャフト25の両側に対して一方の端部一側係合部44と他側係合部46とが嵌まり込むのを規制したり、第２の取付部42を第２のシャフト26に取り付けることができないくらいに基板29が傾斜するように規制するため、第１のシャフト25および第２のシャフト26に対する基板29の誤取付けを確実に防止できる。
【００３０】
また、第１のシャフト25と第２のシャフト26との間に１組の基板29が背面側を対向させて取付可能とするために、これら各基板29の第１の取付部41の端部一側係合部44を基板29の一端寄りの偏心位置に設けた場合でも、中間一側係合部45についても基板29の一端寄りの偏心位置に設けることにより、基板29の誤取付けを確実に防止できる。
【００３１】
なお、中間一側係合部45の数を増やすことで、誤取付け防止効果を高くできる。
【図面の簡単な説明】
【００３２】
【図１】本発明の商品排出装置の一実施の形態を示し、(a)は平面図、(b)は正面図である。
【図２】同上商品排出装置の側面部を示し、(a)は取付手順を説明する側面図、(b)は取付状態の側面図である。
【図３】同上商品排出装置で誤取付防止動作の一例を(a)(b)に説明する平面図である。
【図４】同上商品排出装置で誤取付防止動作の他の例を(a)(b)に説明する平面図である。
【図５】同上商品排出装置を適用した自動販売機の扉体を開放した状態の斜視図である。
【図６】同上商品排出装置の斜視図である。
【図７】従来の商品排出装置を示し、(a)は平面図、(b)は正面図である。
【符号の説明】
【００３３】
17    商品排出装置
21    商品通路
25    第１のシャフト
26    第２のシャフト
29    基板
32    商品排出機構
41    第１の取付部
42    第２の取付部
44    端部一側係合部
45    中間一側係合部
46    他側係合部
【図１】
2005173832.tif 000003
【図２】
2005173832.tif 000004
【図３】
2005173832.tif 000005
【図４】
2005173832.tif 000006
【図５】
2005173832.tif 000007
【図６】
2005173832.tif 000008
【図７】
2005173832.tif 000009